(57)【要約】【課題】発電装置に使用できて発電効率を高める燃焼装置を提供する。【解決手段】本発明の燃焼装置は、燃焼材が供給される本体筒と、前記本体筒の先端に接続される燃焼筒と、前記燃焼筒の前方であって上方に向けて開口している上部開口部と、前記本体筒および前記燃焼筒の少なくとも一部において、回転する回転羽根と、を備え、前記燃焼筒で発生する火炎が、前記上部開口部から上方に向けて発生する。【選択図】図１
2020034175.tif 000002
【特許請求の範囲】
【請求項１】
燃焼材が供給される本体筒と、
前記本体筒の先端に接続される燃焼筒と、
前記燃焼筒の前方であって上方に向けて開口している上部開口部と、
前記本体筒および前記燃焼筒の少なくとも一部において、回転する回転羽根と、を備え、
前記燃焼筒で発生する火炎が、前記上部開口部から上方に向けて発生する、燃焼装置。
【請求項２】
前記上部開口部は、前記燃焼筒の前方側の一部もしくは全部において、上方のみに開口している、請求項１記載の燃焼装置。
【請求項３】
前記本体筒に燃焼材を供給する燃料供給部を更に備える、請求項１または２記載の燃焼装置。
【請求項４】
前記回転羽根は、前記燃焼材を撹拌する、請求項１から３のいずれか記載の燃焼装置。
【請求項５】
前記回転羽は、回転軸となる軸部材と、前記軸部材から突出して回転する羽根部材とを有し、
前記軸部材および前記羽根部材の内部は中空部を有し、当該中空部は、前記本体筒および前記燃焼筒の少なくとも一部に、空気を供給する、請求項１から４のいずれか記載の燃焼装置。
【請求項６】
前記燃焼筒は、水平面に対して搖動可能である、請求項１から５のいずれか記載の燃焼装置。
【請求項７】
前記火炎は、前記燃焼筒に対して略垂直方向に沿って発生する、請求項１から６のいずれか記載の燃焼装置。
【請求項８】
前記上方に向かって発生する前記火炎は、発電装置の水蒸気発生を含む熱利用のための燃焼熱となる、請求項７記載の燃焼装置。
【請求項９】
前記燃焼材は、木質チップ、竹質チップ、バイオエタノール燃料およびバイオディーゼル燃料の少なくとも一つを含む、請求項１から８のいずれか記載の燃焼装置。
【発明の詳細な説明】
【技術分野】
【０００１】
本発明は、上方に炎を吹き出しやすくして、蒸気ガスをより効率的に発生させることのできる燃焼装置に関する。
【背景技術】
【０００２】
近年、燃焼熱を必要とする場面が多く、これらの必要性のために燃焼装置が用いられる。燃焼装置は、種々の燃料を燃焼させて燃焼熱を発生する。この燃焼熱が、種々の目的を実現する。
【０００３】
例えば、廃棄物を燃焼処理するために、燃焼装置による燃焼熱が利用される。あるいは、土壌改質においても燃焼装置による燃焼熱が利用される。汚染されている土壌を加熱燻蒸することで、土壌改質が実現できるからである。
【０００４】
これら以外にも、近年、小型で様々な場所で発電を行える燃焼熱発電がおこなわれるようになってきている。いわゆる電力会社の発電所ではなく、狭小な地域での必要性に応じて、小型の発電量を作り出す発電がおこなわれることがある。
【０００５】
例えば、電力事情に問題の生じている住宅地域、工場、農地、牧畜地などの限られた地域において、電力送電が難しい地域において電力を必要とする場合である。このような場所においては、電力会社からの送電網を完成させることのコストが大きく、電力送電が困難である。あるいは、工場や農地などの広い場所においては、全てに電力送電を行き渡らせることは難しい。
【０００６】
あるいは、ある時期だけ電力を必要とすることもありえる。このような地域では、作業内容などによって、ある時期だけ電力を必要とすることがある。
【０００７】
このように、電力会社からの電力送電による電力供給が不足する地域が狭い場所で生じることがある。このような場所において、発電装置が使用されることがある。
【０００８】
このような発電装置では、燃焼装置によって得られる燃焼熱でタービンを回転させて電力を発生させる。例えば、発電装置に水分を蓄えた容器があり、燃焼装置はこの容器を熱することで水蒸気（ガス）を発生させる。この水蒸気がタービンを回転させて電力を発生させる。
【０００９】
このように、発電装置での発電においては、燃焼装置を使用する。燃焼装置の燃焼熱を効率よく使用することが、発電装置での発電効率を向上させる。
【００１０】
このような燃焼装置についての技術が提案されている（例えば、特許文献１、特許文献２参照）。
【先行技術文献】
【特許文献】
【００１１】
【特許文献１】特開２００７−３０３７３７号公報
【特許文献２】特開２０１７−１６１１５７号公報
【発明の概要】
【発明が解決しようとする課題】
【００１２】
特許文献１は、熱分解炉装置１０は燃焼室２７と、燃焼室２７を貫通して設けられた回転ドラム１１と、回転ドラム１１の入口側非加熱領域１１ａ内に設けられた投入スクリュー２２とを備えている。回転ドラム１１の入口側非加熱領域１１ａに設けられた投入スクリュー２２のスクリューケーシング２３の上部に掻取板３３が固定され、この掻取板３３は半径方向外方へ回転しながら湾曲する形状を有している。この掻取板３３により回転ドラム１１内面に付着した付着物を取除く熱分解炉装置を、開示する。
【００１３】
特許文献１は、廃棄物等の燃焼を行い、燃焼において揮発成分であるガスと燃焼残渣とに分離することを目的としている。
【００１４】
しかしながら、特許文献１の技術は、燃焼室やドラム内部にクリンカが生じて残ってしまう。このクリンカが生じることで、熱分解炉装置は、その燃焼効率を上げることが難しい。クリンカが残ったり付着したりすると、クリンカによって燃焼が阻害されてしまい、燃焼効率が下がるからである。
【００１５】
あるいは、内部にクリンカが残ったり付着したりすると、定期的にクリンカを除去する作業も必要となる。クリンカの除去作業は手間が掛かり作業期間においては、燃焼処理が実行できなくなってしまう。このために、時間軸上での燃焼効率が下がってしまう問題もある。
【００１６】
また、クリンカが残ったり付着したりすることで、熱分解炉装置での燃焼能力が下がってしまう問題もある。このようなクリンカの発生は、燃焼装置での燃料が、バイオマスや木質燃料などであることで、より生じやすい。
【００１７】
このようにクリンカが残ることでの燃焼効率の低下が生じると、燃焼装置による発電効率も下がってしまう問題がある。あるいは燃焼装置のメンテナンスが頻繁に必要となり、発電装置での発電を中断しなければならないなどの問題も生じる。
【００１８】
特許文献２は、容器２１の内部を通過した後の燃焼ガスＥを還元剤として供給されると共に、空気Ａを酸化剤として供給されることで電力を発生する燃料電池部４０を備え、空気過剰率制御手段Ｖ１、Ｖ２、Ｖ３にて燃焼器１０における混合気の空気過剰率を１未満に制御する形態で、燃料電池部４０で電力を発生する発電燃焼運転を実行する制御装置Ｓを備える燃焼装置を開示する。
【００１９】
特許文献２の燃焼装置は、燃焼熱をあてる対象物に対して、横向きから火炎をあてる構造である。
【００２０】
特許文献２を始めとして、多くの燃焼装置は筒状の形状をしており、筒の先端の開口部から火炎を吹き出す構造を有する。このような構造であると、燃焼装置は、その先端開口部からの火炎を発電装置の要素である水分容器へあてることになる。
【００２１】
このように横から火炎をあてることは、水分容器の加熱が弱くなり、発電装置にとって十分な水蒸気を発生させることができない。結果として、発電効率を上げられない問題がある。筒を上向きにすると、筒内部での燃焼効率が悪くなり、これを防止するために燃焼熱を上げると、クリンカの発生の問題になってしまう。すなわち、特許文献１と同じ問題が生じる。
【００２２】
このように、従来技術では、発電装置に必要となる水蒸気発生を、効率よく行えない問題があった。あるいは、クリンカ発生などによる発電効率の低下をもたらす問題があった。
【００２３】
本発明は、上記課題に鑑み、発電装置に使用できて発電効率を高める燃焼装置を提供することを目的とする。
【課題を解決するための手段】
【００２４】
本発明の燃焼装置は、燃焼材が供給される本体筒と、
本体筒の先端に接続される燃焼筒と、
燃焼筒の前方であって上方に向けて開口している上部開口部と、
本体筒および燃焼筒の少なくとも一部において、回転する回転羽根と、を備え、
燃焼筒で発生する火炎が、上部開口部から上方に向けて発生する。
【発明の効果】
【００２５】
本発明の燃焼装置は、火炎を上方に上げることができる。この結果、発電装置の基礎となる水分容器を底面から熱することができ、水蒸気発生の効率を高めることができる。これらによって、燃焼装置を使った発電装置の発電効率を高めることができる。
【００２６】
また、燃焼装置の前方の一部が開放されていることで、燃焼温度を上げすぎずに済む。この結果、燃焼装置内部でのクリンカの発生を抑えることもできる。この結果、燃焼装置のメンテナンスによる発電装置の中断などを低減できる。
【００２７】
また、上方が開放されていることで火炎を上向きにできることで、燃焼装置の本体部については、水平方向に設置できる。このため、燃焼装置への燃料供給や燃焼動作に困難性が生じず、燃焼装置による燃焼が確実に行える。
【図面の簡単な説明】
【００２８】
【図１】本発明の実施の形態における燃焼装置の側面図である。
【図２】本発明の実施の形態における燃焼装置の正面図である。
【図３】本発明の実施の形態における燃焼装置の正面図である。
【図４】本発明の実施の形態における燃焼装置の側面図である。
【図５】本発明の実施の形態における燃焼装置と発電装置の模式図である。
【発明を実施するための形態】
【００２９】
本発明の第１の発明に係る燃焼装置は、燃焼材が供給される本体筒と、
本体筒の先端に接続される燃焼筒と、
燃焼筒の前方であって上方に向けて開口している上部開口部と、
本体筒および燃焼筒の少なくとも一部において、回転する回転羽根と、を備え、
燃焼筒で発生する火炎が、上部開口部から上方に向けて発生する。
【００３０】
この構成により、上方に設置される発電装置や乾燥装置などに対して、効率的に燃焼熱を付与することができる。
【００３１】
本発明の第２の発明に係る燃焼装置では、第１の発明に加えて、上部開口部は、燃焼筒の前方側の一部もしくは全部において、上方のみに開口している。
【００３２】
この構成により、燃焼筒からの火炎は、上方に向かって噴き出す。
【００３３】
本発明の第３の発明に係る燃焼装置では、第１または第２の発明に加えて、本体筒に燃焼材を供給する燃料供給部を更に備える。
【００３４】
この構成により、本体筒およびこれに連通する燃焼筒の内部空間に、燃焼材を自動的あるいは連続的に供給できる。燃焼を継続することができる。
【００３５】
本発明の第４の発明に係る燃焼装置では、第１から第３のいずれかの発明に加えて、回転羽根は、燃焼材を撹拌する。
【００３６】
この構成により、燃焼効率を向上させることができる。燃焼効率の向上により、上方に噴き出す火炎の燃焼熱を上げることができる。
【００３７】
本発明の第５の発明に係る燃焼装置では、第１から第４の発明に加えて、回転羽は、回転軸となる軸部材と、軸部材から突出して回転する羽根部材とを有し、
軸部材および羽根部材の内部は中空部を有し、当該中空部は、本体筒および燃焼筒の少なくとも一部に、空気を供給する。
【００３８】
この構成により、燃焼筒での燃焼効率を向上させることができる。
【００３９】
本発明の第６の発明に係る燃焼装置では、第１から第５のいずれかの発明に加えて、燃焼筒は、水平面に対して搖動可能である。
【００４０】
この構成により、燃焼材の撹拌や燃焼における空気の供給がより促進される。
【００４１】
本発明の第７の発明に係る燃焼装置では、第１から第６のいずれかの発明に加えて、火炎は、燃焼筒に対して略垂直方向に沿って発生する。
【００４２】
この構成により、上方に設置される発電装置や乾燥装置などに、効率的に熱を付与することができる。
【００４３】
本発明の第８の発明に係る燃焼装置では、第７の発明に加えて、上方に向かって発生する火炎は、発電装置の水蒸気発生を含む熱利用のための燃焼熱となる。
【００４４】
この構成により、発電装置の発電に必要となる燃焼熱を付与できる。
【００４５】
本発明の第９の発明に係る燃焼装置では、第１から第８のいずれかの発明に加えて、燃焼材は、木質チップ、竹質チップ、バイオエタノール燃料およびバイオディーゼル燃料の少なくとも一つを含む。
【００４６】
この構成により、環境負荷に優しい燃焼を実現できる。
【００４７】
以下、図面を参照しながら、本発明の実施の形態を説明する。
【００４８】
（実施の形態１）
【００４９】
（全体概要）
本発明の実施の形態における燃焼装置の全体概要について、図１、図２を用いて説明する。図１は、本発明の実施の形態における燃焼装置の側面図である。図２は、本発明の実施の形態における燃焼装置の正面図である。いずれも、燃焼装置１を、模式的に示したものであり、その構成と特徴が分かるように簡略に表したものである。
【００５０】
燃焼装置１は、本体筒２と、燃焼筒３と、上部開口部３１と、回転羽根４を備える。
【００５１】
本体筒２は、燃焼材１０が供給される。本体筒２は、燃焼材１０の供給を受けて発火して燃焼を開始する部分である。また、本体筒２は、燃焼装置１の根元の構造体となり、燃焼装置１全体の構造を形成する。本体筒２は、筒状である。円筒、角筒、多角形筒、楕円形筒など、種々の形状を有していればよい。
【００５２】
燃焼筒３は、本体筒２の先端に接続される。燃焼筒３は、燃焼材１０の燃焼を行い、燃焼の火炎を生じさせる部分である。本体筒２に供給される燃焼材１０に発火され、この発火によって生じる燃焼材１０の燃焼を行わせる。この燃焼によって、燃焼筒３では、火炎が発生する。火炎による熱を外部に向けて出すことができる。
【００５３】
上部開口部３１は、燃焼筒３の前方であって上方に向けて開口している。図２においては、燃焼装置１を上方から見た状態を示しているが、上方において、上部開口部３１が開口している。燃焼筒３で発生する火炎２０は、この上部開口部３１から上方に向けて発生する。図１においては、火炎２０が、上部開口部３１から上方に向けて発生している状態が示されている。
【００５４】
回転羽根４は、本体筒２および燃焼筒３の少なくとも一部に備わる。これらの内部に備わる。図１、図２では、本体筒２の内部の一部から燃焼筒３の内部の一部にかけて、回転羽根４が備わっている。この回転羽根４は、回転する。回転によって、燃焼材１０を、これらの筒内部で撹拌して、燃焼効率を上げることができる。また、燃焼材１０と空気との混合を促進して、燃焼を促進させることもできる。この促進された燃焼によって、高い燃焼効率で生じる火炎２０が、上部開口部３１から上方に向けて発生する。
【００５５】
上部開口部３１が、燃焼筒３に設けられていることで、通常は燃焼筒３の先端から吐き出される火炎が、上方に向けて吐き出される。燃焼装置１の火炎２０の熱を利用する様々な装置やシステムにおいては、下方から噴出される火炎２０の熱を利用することが好適な場合がある。例えば、発電装置などでは、下方から上がってくるこの火炎２０の熱を利用することが好適である。
【００５６】
従来技術の燃焼装置では、燃焼筒３には上部開口部３１が備わっていない。このため、燃焼筒３での燃焼で生じる火炎および火炎からの燃焼熱は、前方から噴出されるに過ぎない。燃焼筒３を上向きに傾ければ、斜め上には火炎や燃焼熱を吹き出すことができるが、上方ということは難しい。燃焼筒３を完全に上向きにすれば、燃焼筒３や本体筒２内部で、燃焼材１０が底に溜まってしまい、燃焼が困難となる問題もある。
【００５７】
上述したように、燃焼熱を利用する発電装置や乾燥装置などでは、下方から火炎２０による燃焼熱を受けることが最も熱効率が高い。このような観点から、燃焼装置１での火炎２０は上方に吹き出すことが最も好ましい。この点で、実施の形態における燃焼装置１は、上部開口部３１が設けられていることで、火炎２０が上方に確実に噴き上がる。この構造により、発電装置や乾燥装置など、下方から高い燃焼熱を受けることが好ましい装置にとって、最適な燃焼熱の付与ができる。
【００５８】
回転羽根４は、本体筒２および燃焼筒３の内部の少なくとも一部に備わる。図１、図２のように、回転軸である軸部材４１を有しており、この軸部材４１の回転によって羽根部材４２が回転する。回転羽根４の回転によって、燃焼材１０が本体筒２および燃焼筒３の内部において撹拌される。この撹拌によって、燃焼効率が高まる。
【００５９】
また、本体筒２および燃焼筒３内部が撹拌されることで、燃焼効率が上がる。特に、燃焼の撹拌により、生じる火炎２０の噴き上がりが効率化され、火炎２０の噴き上がりによる燃焼熱の上方への付与効率も上がる。
【００６０】
更に、回転羽根４の撹拌により、本体筒２や燃焼筒３内部での残渣などの発生や付着を低減できるメリットもある。
【００６１】
次に、各部の詳細やバリエーションについて説明する。
【００６２】
（上部開口部）
上部開口部３１は、燃焼筒３の前方側の一部もしくは全部において、上方のみに開口している。図２では、この状態が示されている。上方のみに開口していることで、燃焼によって発生する火炎２０は、そのほとんどが上方に噴出すようになる。この噴出によって、下からの燃焼熱を受けることが好ましい装置や機器などに、適切な熱の付与を行うことができる。
【００６３】
図２のように、燃焼筒３の先端まで上部開口部３１が開口してもよいし、図３のように、燃焼筒３の途中まで上部開口部３１が開口していてもよい。図３は、本発明の実施の形態における燃焼装置の正面図である。上部開口部３１が、燃焼筒３においてその位置を前後に異なっていることは、火炎２０の噴き出しなどの形態を変化させることに繋がる。燃焼熱を付与する装置や機器の種類に応じた火炎２０の噴き出し方を変化させることができる。  
【００６４】
また、これらの場合でも、上方のみへの噴き出しとなるので、火炎２０が下から上に向けて燃焼熱を効率的に付与できる。
【００６５】
上部開口部３１は、開閉式やスライド式で、開口する範囲や面積を変化させることができることも好適である。
【００６６】
（本体筒）
本体筒２は、燃焼材１０の供給を受けて発火と燃焼のスタートとなる部位である。また、燃焼装置１の全体の構造を作る部位である。
【００６７】
本体筒２は、燃焼材１０を収容して燃焼を開始する構成を有する。このため、円筒、角筒などの筒状であり、内部空間を有していることが好ましい。また、回転羽根４の回転による撹拌を受ける構成を有していることが好ましい。
【００６８】
また、本体筒２は、その先端に備える燃焼筒３とは独立して回転可能であってもよい。回転可能であることで、回転羽根４による撹拌の効率を上げることができるからである。
【００６９】
また、図４に示されるように、本体筒２に燃焼材１０を供給する燃料供給部５を更に備えることも好適である。図４は、本発明の実施の形態における燃焼装置の側面図である。
【００７０】
燃料供給部５は、本体筒２に接続している。この接続によって、燃料供給部５は、本体筒２に燃焼材１０を供給する。この燃焼材１０の供給により、本体筒２は、燃焼材１０を燃焼させることができる。また、燃料供給部５が、連続的に供給されることで、燃焼装置１での燃焼が連続的となり、燃焼熱を生じさせる機能が、連続的となる。
【００７１】
燃料供給部５は、機械的な動作によって自動で燃焼材１０を供給してもよいし、手動で供給してもよい。
【００７２】
（燃焼筒）
燃焼筒３は、本体筒２の先端に接続する。本体筒２の先端に接続し、その内部空間は連通している。内部空間同士が繋がっていることで、燃焼材１０による全体での燃焼を可能とする。
【００７３】
燃焼筒３は、燃焼材１０を燃焼して火炎２０を生じさせる。この火炎２０が、上部開口部３１から上方に噴き出す。噴き出しが、上方に向けて燃焼熱を照射する。
【００７４】
火炎２０は、燃焼筒３が水平である場合には、燃焼筒３に対して略垂直方向に沿って発生する。図２に示される通りである。略垂直に噴き上がることで、例えば、燃焼装置１の上に発電装置や乾燥装置などを設置して、これらに下から燃焼熱を付与することができる。
【００７５】
発電装置や乾燥装置は、燃焼熱により、その機能を発揮できる。この燃焼熱が、下方から付与されることで、十分な熱を受けることができる。十分な熱を受けることで、発電装置の発電効率や乾燥装置の乾燥効率などが高まる。
【００７６】
燃焼筒３は、水平面に対して搖動可能であることも好適である。搖動可能であることで、燃焼筒３での燃焼材１０の撹拌が更に効率的になり、燃焼効率が高まる。あるいは、火炎２０の噴き上がりレベルが向上する。噴き上がりレベルが向上すれば、火炎２０の燃焼熱を付与することのレベルが向上する。
【００７７】
あるいは、水平面に対して、上向きや下向きなどの角度をつけることが可能である。角度をつけることで、上方に噴き上がる火炎２０の向きや角度に調整を持たせることが可能となるからである。
【００７８】
（回転羽根）
回転羽根４は、燃焼材１０を撹拌する。本体筒２と燃焼筒３とが接続して生じる連通した内部空間において回転する。この回転によって、燃焼材を撹拌する。
【００７９】
上述したように、回転羽根４は、回転軸となる軸部材４１と、軸部材４１から突出して回転する羽根部材４２とを有する。軸部材４１が回転することで、羽根部材４２が回転する。
【００８０】
この羽根部材４２が、燃焼材１０を撹拌したり、燃焼で生じる火炎２０を撹拌したりできる。これらの撹拌によって燃焼効率が高まる。燃焼効率が高まることで、火炎２０による燃焼熱の付与がよりレベルアップする。
【００８１】
また、軸部材４１および羽根部材４２の少なくとも一部の内部は、中空部を有することも好適である。この中空部は、本体筒２および燃焼筒３の少なくとも一部の内部空間に、空気を供給できる。この空気の供給によって、本体筒２や燃焼筒３の内部空間における燃焼が更に促進される。
【００８２】
本体筒２および燃焼筒３の連通する内部空間は、先端や上部開口部３１以外が閉じられている。この状態であると空気（酸素）の供給が不足することもある。これに対して、回転羽根４から空気が供給されると、この不足を補うことができる。回転羽根４の内部に中空部があり、回転羽根４の外部に空気ポンプなどを備えることで、中空部に空気が送り込まれる。この送り込まれた空気が、中空部から内部空間へ供給される。
【００８３】
また、本体筒２および燃焼筒３の内壁から空気が供給されることも好適である。この場合には、本体筒２および燃焼筒３の内部に空間が存在し、この空間から空気が噴き出す構造を有していることが好適である。
【００８４】
また、羽根部材４２が、凹みを有していることも好適である。凹みを有していることで、羽根部材４２は、その回転時に燃焼材１０を掬い上げることができ、燃焼材１０の撹拌をより効率よく行えるからである。また、燃焼材１０や燃焼領域に空気を入れることもでき、燃焼効率を向上させる。
【００８５】
（燃焼熱の利用）
上部開口部３１から上方に向けて発生する火炎２０は、発電装置や乾燥装置で必要となる燃焼熱として利用される。例えば、発電装置の水蒸気発生を行わせるための燃焼熱として利用される。
【００８６】
図５は、本発明の実施の形態における燃焼装置と発電装置の模式図である。燃焼装置１の上に、発電装置５０が設置されている状態が示されている。図５では、発電装置５０を要素として示しており、その構成などは、実際に使用される発電装置に応じて様々であればよい。
【００８７】
発電装置５０は、そのタービンを回転させるために水蒸気を必要とすることが多い。火炎２０は、発電装置５０の下から燃焼熱を付与することができる。下方からの火炎２０であるので、発電装置５０への燃焼熱付与の効率が高まる。発電装置５０は、水蒸気発生を、この燃焼熱を利用して行いタービンを回転させる。この結果、電力を生成できる。
【００８８】
（燃焼材）
燃焼材１０は、木質チップ、竹質チップ、バイオエタノール燃料およびバイオディーゼル燃料の少なくとも一つを含む。これらの燃料は入手が容易であると共に、環境負荷も低いからである。
【００８９】
以上のように、実施の形態における燃焼装置１は、火炎２０を上方に向けて吹き上げることができるので、燃焼熱を効率的に付与できる。結果として、燃焼熱を利用する発電装置や乾燥装置などの機能効率を向上させることができる。
【００９０】
以上、実施の形態１〜２で説明された燃焼装置は、本発明の趣旨を説明する一例であり、本発明の趣旨を逸脱しない範囲での変形や改造を含む。
【符号の説明】
【００９１】
１    燃焼装置
２    本体筒
３    燃焼筒
４    回転羽根
４１    軸部材
４２    羽根部材
５    燃料供給部
１０    燃焼材
２０    火炎
５０    発電装置
【図１】
2020034175.tif 000003
【図２】
2020034175.tif 000004
【図３】
2020034175.tif 000005
【図４】
2020034175.tif 000006
【図５】
2020034175.tif 000007